(57)【要約】 【課題】  例えば折り畳みテ−ブルに好適で、脚および脚部品のモジュ−ル化と設計および組み立ての合理化を図れ、天板の奥行寸法に応じて種々の形態の脚を得られるとともに、脚アセンブリと天板やロックレバ−等の天板アセンブリとを分離して予め組み立て、これらを互いに後付けすることで、所要量のテ−ブルを迅速かつ合理的に生産できるテ−ブルを提供すること。【解決手段】  天板１の下面に取り付ける補強フレ−ム２を有する。  前記補強フレ−ム２を支持するブラケット２３を有する。  所定の接地手段６９を有する脚杆５６に連結して起立する脚柱５０，５５とを有する。  相対する脚柱５０を連結する支持フレ−ム４７とを備える。  前記支持フレ−ム４７に前記ブラケット２３を取り付けたテ−ブルであること。  前記支持フレ−ム４７の両端部に脚継手４８を取り付ける。  前記脚継手４８を前記脚柱５０に着脱可能に取り付ける。【選択図】  図１ 
2006006574.tif 000002
【特許請求の範囲】
【請求項１】
天板の下面に取り付ける補強フレ−ムと、該補強フレ−ムを支持するブラケットと、所定の接地手段を有する脚杆に連結して起立する脚柱と、相対する脚柱を連結する支持フレ−ムとを備え、支持フレ−ムに前記ブラケットを取り付けたテ−ブルにおいて、前記支持フレ−ムの両端部に脚継手を取り付け、該脚継手を前記脚柱に着脱可能に取り付けたことを特徴とするテ−ブル。
【請求項２】
前記ブラケットに、ロックピンとの係脱位置を一部異にするカム溝を形成した第１および第２カムを対向して設け、これら第１および第２カムを前記補強フレ−ムに回動可能に連結した請求項１記載のテ−ブル。
【請求項３】
前記第１または第２カムのカム溝に対し、前記ロックピンの位置を選択的に変更可能にした請求項２記載のテ−ブル。
【請求項４】
前記ロックピンと一体的なロックリンクの基部を、第１および第２カムの中間部を中心に対称に取り付け可能にした請求項３記載のテ−ブル。
【請求項５】
前記第１および第２カムの一端部を、前記補強フレ−ムの内面に係合可能に配置した請求項２記載のテ−ブル。
【請求項６】
前記第１および第２カムの間に調節金具を回動可能に支持し、該調節金具の一端部に係合片を設け、該係合片を前記補強フレ−ムの内面に係合かつ押圧可能にした請求項２記載のテ−ブル。
【請求項７】
前記調節金具の他端部に係合片を設け、該係合片をブラケットの背部内面に係合可能に配置し、該背部内面に調整ネジを螺着し、該調整ネジの螺軸端部を前記係合片に係合可能に配置し、前記調節金具を回動可能にした請求項２記載のテ−ブル。
【請求項８】
前記脚継手に水抜き孔を形成した請求項１記載のテ−ブル。
【請求項９】
前記脚継手の外面に凸部を設けるとともに、前記脚柱に前記凸部を係入可能な透孔を設けた請求項１記載のテ−ブル。
【請求項１０】
前記脚柱を第１および第２脚柱を上下に連結して構成し、下側の第２脚柱に前記脚杆の一端を連結可能にした請求項１記載のテ−ブル。
【請求項１１】
前記第１脚柱を細長断面の一対の脚柱で構成し、該脚柱に湾曲柱状の第２脚柱の一端を嵌合し、前記第２脚柱の一端は細長断面に形成され、その他端は前記一端よりオフセットして円形または正多角形断面に形成されている請求項１０記載のテ−ブル。
【請求項１２】
前記各一対の第１および第２脚柱は、その細長断面の中心をテ−ブルの前後方向と平行に配置し、かつそれらをテ−ブルの左右方向の内外位置に配置した請求項１１記載のテ−ブル。
【請求項１３】
前記各一対の第１および第２脚柱を、テ−ブルの前後方向またはテ−ブルの左右方向と平行の同一直線上に配置した請求項１２記載のテ−ブル。
【請求項１４】
前記各一対の第２脚柱のテ−ブルの前後方向における下端部間距離を、上端部間距離より幅広に形成した請求項１１記載のテ−ブル。
【請求項１５】
前記第２脚柱の他端部に正多角形断面の角軸部を設けるとともに、脚杆の一端に前記角軸部と係合可能な正多角形断面の角穴部を設け、それらの係合位置を介して、前後一対の脚杆の平面上の交差角度を調整可能にした請求項１２記載のテ−ブル。
【請求項１６】
前後一対の脚杆の平面上の交差角度を、天板の奥行小寸法に対し小さく設定した請求項１２記載のテ−ブル。
【請求項１７】
天板の各奥行寸法に対し、前後一対の脚杆の全部または一部を共通使用した請求項１２記載のテ−ブル。
【請求項１８】
前記脚杆を上向きに湾曲形成した請求項１０記載のテ−ブル。
【請求項１９】
前記脚継手を取り付けた支持フレ−ムに、ブラケットと補強フレ−ムと天板とを予め組み付け、また第１および第２脚柱と脚杆とを予め組み付け、前記各アセンブリを前記脚継手を介して組み付け可能にした請求項１記載のテ−ブル。
【請求項２０】
前記脚杆の下端部に若干幅広な合成樹脂製の脚杆アンダ−カバ−を取り付け、該カバ−の側面に隣接するテ−ブルの脚杆を係合可能にした請求項１記載のテ−ブル。
【発明の詳細な説明】
【技術分野】
【０００１】
本発明は、例えば折り畳みテ−ブルに好適で、脚および脚部品のモジュ−ル化と設計および組み立ての合理化を図れ、天板の奥行寸法に応じて種々の形態の脚を得られるとともに、脚アセンブリと天板やロックレバ−等の天板アセンブリとを分離して予め組み立て、これらを互いに後付けすることで、所要量のテ−ブルを迅速かつ合理的に生産できるようにしたテ−ブルに関する。
【背景技術】
【０００２】
折り畳みテ−ブルに各一対の支柱と脚杆とを左右に配置し、前記支柱の上端部と下端部とを上部接合部材と下部接合部材とで連結し、上部接合部材間を横架材で連結するとともに、前記横架材に天板を取り付ける下面フレ−ムを取り付け、一方、前記脚杆の上端部をブラケットで連結し、該ブラケットに下部接合部材を連結したものがあり、その組み立てに際しては、先ず一対の支柱と脚杆とを組み立て、これに横架材を掛け渡し、該横架材に天板を取り付けていた（例えば、特許文献１）。
【０００３】
しかし、上記テ−ブルは、離間して配置した支柱と脚杆とを上部接合部材と下部接合部材とで連結するため、上部接合部材と下部接合部材の形状寸法に限界があり、種々の寸法の天板の取り付けに対応できず、また支柱と脚杆の形態にも限界があって、天板の奥行き寸法に応じた支柱と脚杆の設計と製作とを要し、各種部品のモジュ−ル化ないし構成の合理化が難しかった。
【０００４】
しかも、上記テ−ブルの組み立てに際しては、上部接合部材と天板を取り付けた下面フレ−ムとを介して、支柱と横架材とを連結し、該上部接合部材に操作レバ−の取り付けを要する等して、種々の部品の用意と組み立てスペ−スの確保を要し、また組み立て作業が種々の部品に及んで、組み立て作業が煩雑で能率が悪く、生産性が低い等の問題があった
【０００５】
また、他の折り畳みテ−ブルとして、左右に配置した脚支柱の上部内側に連結板を取り付け、該連結板に天板とロックレバ−とを取り付ける支持フレ−ムを固定したものがあり、その組み立てに際しては、先ず脚支柱の上部内側に支持フレ−ムを介して連結板を取り付け、該支持フレ−ムに天板とロックレバ−とを取り付けていた（例えば、特許文献２）
【０００６】
しかし、上記テ−ブルは、各種部品のモジュ−ル化ないし構成の合理化を一定の範囲で得られるが、その組み立てに際しては、連結板とピンを介して、脚支柱と支持フレ−ムを枢着し、該支持フレ−ムに天板やロックレバ−の取り付けを要する等して、種々の部品の用意と組み立てスペ−スの確保を要し、しかも組み立て作業が種々の部品に及んで、作業が煩雑で能率が悪く、生産性が低い等の問題があった。
【０００７】
【特許文献１】実用新案登録第２５２５３０８号公報
【特許文献２】実用新案登録第２５７２７５７号公報
【発明の開示】
【発明が解決しようとする課題】
【０００８】
本発明はこのような問題を解決し、例えば折り畳みテ−ブルに好適で、脚および脚部品のモジュ−ル化と設計および組み立ての合理化を図れ、天板の奥行寸法に応じて種々の形態の脚を得られるとともに、脚アセンブリと天板やロックレバ−等の天板アセンブリとを分離して予め組み立て、これらを互いに後付けすることで、所要量のテ−ブルを迅速かつ合理的に生産できるようにしたテ−ブルを提供することを目的とする。
【課題を解決するための手段】
【０００９】
請求項１の発明は、天板の下面に取り付ける補強フレ−ムと、該補強フレ−ムを支持するブラケットと、所定の接地手段を有する脚杆に連結して起立する脚柱と、相対する脚柱を連結する支持フレ−ムとを備え、支持フレ−ムに前記ブラケットを取り付けたテ−ブルにおいて、前記支持フレ−ムの両端部に脚継手を取り付け、該脚継手を前記脚柱に着脱可能に取り付け、例えばブラケットと補強フレ−ムと天板とを予め組み付けた天板アセンブリと、第１および第２脚柱と脚杆とを予め組み付けた脚アセンブリとを、脚継手を介して簡単に組み立てられるようにして、折り畳みテ−ブルまたは非折り畳みテ−ブルに対する組み立てを合理的に行なうようにしている。
請求項２の発明は、前記ブラケットに、ロックピンとの係脱位置を一部異にするカム溝を形成した第１および第２カムを対向して設け、これら第１および第２カムを前記補強フレ−ムに回動可能に連結し、単一のブラケットによって、垂直または斜状の脚柱を有する折り畳みテ−ブルに両用可能にし、テ−ブル製作の合理化を図るようにしている。
【００１０】
請求項３の発明は、前記第１または第２カムのカム溝に対し、前記ロックピンの位置を選択的に変更可能にし、簡単な構成で垂直または斜状の脚柱を有する折り畳みテ−ブルの製作に簡単に応じられるようにしている。
請求項４の発明は、前記ロックピンと一体的なロックリンクの基部を、第１および第２カムの中間部を中心に対称に取り付け可能にし、簡単な手段と作業によって、垂直または斜状の脚柱を有する折り畳みテ−ブルの製作に応じられるようにしている。
請求項５の発明は、前記第１および第２カムの一端部を、前記補強フレ−ムの内面に係合可能に配置し、それらで補強フレ−ムないし天板を安定して支持するようにしている。
請求項６の発明は、前記第１および第２カムの間に調節金具を回動可能に支持し、該調節金具の一端部に係合片を設け、該係合片を前記補強フレ−ムの内面に係合かつ押圧可能にし、該係合片を介して補強フレ−ムないし天板の前下がり状態を修正可能にしている。
【００１１】
請求項７の発明は、前記調節金具の他端部に係合片を設け、該係合片をブラケットの背部内面に係合可能に配置し、該背部内面に調整ネジを螺着し、該調整ネジの螺軸端部を前記係合片に係合可能に配置し、前記調節金具を回動可能にして、天板の前下がり状態を簡単に修正できるようにしている。
請求項８の発明は、前記脚継手に水抜き孔を形成し、支持フレ−ムに脚継手を取り付け、これを脱脂洗浄および酸洗い後に吊り下げて塗装する際、支持フレ−ム内に滞留した脱脂洗浄液等を水抜き孔から排出させ、確実かつ安定した塗装を行なえるようにしている。
請求項９の発明は、前記脚継手の外面に凸部を設けるとともに、前記脚柱に前記凸部を係入可能な透孔を設け、脚継手を脚柱に組み立てる際、それらの位置決めを簡便に行なえるようにしている。
【００１２】
請求項１０の発明は、前記脚柱を第１および第２脚柱を上下に連結して構成し、下側の第２脚柱に前記脚杆の一端を連結可能にし、第１および第２脚柱と脚杆とを容易に組み付けられるようにしている。
請求項１１の発明は、前記第１脚柱を細長断面の一対の脚柱で構成し、該脚柱に湾曲柱状の第２脚柱の一端を嵌合し、前記第２脚柱の一端は細長断面に形成され、その他端は前記一端よりオフセットして円形または正多角形断面に形成され、第１および第２脚柱の具体的な構成を実現するとともに、それらの形状の美観を向上するようにしている。
請求項１２の発明は、前記各一対の第１および第２脚柱は、その細長断面の中心をテ−ブルの前後方向と平行に配置し、かつそれらをテ−ブルの左右方向の内外位置に配置して、第１および第２脚柱を正確に配置し、脚杆の平行スタッキングを確実に実現可能にしている。
【００１３】
請求項１３の発明は、前記各一対の第１および第２脚柱を、テ−ブルの前後方向またはテ−ブルの左右方向と平行の同一直線上に配置し、天板の奥行寸法が比較的大きい場合は、各一対の第１および第２脚柱をテ−ブルの前後方向に配置し、天板の奥行寸法が比較的小さい場合は、テ−ブルの左右方向と平行の同一直線上に配置し、それらの占有スペ−スを僅少化して、それぞれ対応させている。
請求項１４の発明は、前記各一対の第２脚柱のテ−ブルの前後方向における下端部間距離を、上端部間距離より幅広に形成し、脚杆の平行スタッキングを確実に実現可能にしている。
請求項１５の発明は、前記第２脚柱の他端部に正多角形断面の角軸部を設けるとともに、脚杆の一端に前記角軸部と係合可能な正多角形断面の角穴部を設け、それらの係合位置を介して、前後一対の脚杆の平面上の交差角度を調整可能にし、前記脚杆の交差角度を容易に調整可能にしている。
請求項１６の発明は、前後一対の脚杆の平面上の交差角度を、天板の奥行小寸法に対し小さく設定し、それらの他端間距離を縮小することによって、対応可能にしている。
【００１４】
請求項１７の発明は、天板の各奥行寸法に対し、前後一対の脚杆の全部または一部を共通使用し、脚アセンブリの合理化と、その構成部品のモジュ−ル化を実現するようにしている。
請求項１８の発明は、前記脚杆を上向きに湾曲形成し、テ−ブルの負荷に対する曲げ強度を強化するとともに、美観の向上を図っている。
請求項１９の発明は、前記脚継手を取り付けた支持フレ−ムに、ブラケットと補強フレ−ムと天板とを予め取り付け、また第１および第２脚柱と脚杆とを予め取り付け、前記各アセンブリを前記脚継手を介して組み付け可能にし、テ−ブル製作の合理化を図るようにしている。
請求項２０の発明は、前記脚杆の下端部に若干幅広な合成樹脂製の脚杆アンダ−カバ−を取り付け、該カバ−の側面に隣接するテ−ブルの脚杆を係合可能にして、テ−ブルの平行スタッキング時における脚杆同士の擦過を未然に防止するようにしている。
【発明の効果】
【００１５】
請求項１の発明は、支持フレ−ムの両端部に脚継手を取り付け、該脚継手を前記脚柱に着脱可能に取り付けたから、例えばブラケットと補強フレ−ムと天板とを予め組み付けた天板アセンブリと、第１および第２脚柱と脚杆とを予め組み付けた脚アセンブリとを、脚継手を介して簡単に組み立てられるようにして、折り畳みテ−ブルまたは非折り畳みテ−ブルに対する組み立てを合理的に行なうことができる。
請求項２の発明は、前記ブラケットに、ロックピンとの係脱位置を一部異にするカム溝を形成した第１および第２カムを対向して設け、これら第１および第２カムを前記補強フレ−ムに回動可能に連結したから、単一のブラケットによって、垂直または斜状の脚柱を有する折り畳みテ−ブルに両用可能にし、テ−ブル製作の合理化を図ることができる。
【００１６】
請求項３の発明は、前記第１または第２カムのカム溝に対し、前記ロックピンの位置を選択的に変更可能にしたから、簡単な構成で垂直または斜状の脚柱を有する折り畳みテ−ブルの製作に簡単に応ずることができる。
請求項４の発明は、前記ロックピンと一体的なロックリンクの基部を、第１および第２カムの中間部を中心に対称に取り付け可能にしたから、簡単な手段と作業によって、垂直または斜状の脚柱を有する折り畳みテ−ブルの製作に応じられる効果がある。
請求項５の発明は、前記第１および第２カムの一端部を、前記補強フレ−ムの内面に係合可能に配置したから、それらで補強フレ−ムないし天板を安定して支持することができる。
請求項６の発明は、前記第１および第２カムの間に調節金具を回動可能に支持し、該調節金具の一端部に係合片を設け、該係合片を前記補強フレ−ムの内面に係合かつ押圧可能にしたから、前記係合片を介して補強フレ−ムないし天板の前下がり状態を修正することができる。
【００１７】
請求項７の発明は、前記調節金具の他端部に係合片を設け、該係合片をブラケットの背部内面に係合可能に配置し、該背部内面に調整ネジを螺着し、該調整ネジの螺軸端部を前記係合片に係合可能に配置し、前記調節金具を回動可能にしたから、天板の前下がり状態を簡単に修正することができる。
請求項８の発明は、前記脚継手に水抜き孔を形成したから、支持フレ−ムに脚継手を取り付け、これを脱脂洗浄および酸洗い後に吊り下げて塗装する際、支持フレ−ム内に滞留した脱脂洗浄液等を水抜き孔から排出させ、確実かつ安定した塗装を行なうことができる
請求項９の発明は、前記脚継手の外面に凸部を設けるとともに、前記脚柱に前記凸部を係入可能な透孔を設けたから、脚継手を脚柱に組み立てる際、それらの位置決めを簡便に行なうことができる。
【００１８】
請求項１０の発明は、前記脚柱を第１および第２脚柱を上下に連結して構成し、下側の第２脚柱に前記脚杆の一端を連結可能にしたから、第１および第２脚柱と脚杆とを容易に組み付けることができる。
請求項１１の発明は、前記第１脚柱を細長断面の一対の脚柱で構成し、該脚柱に湾曲柱状の第２脚柱の一端を嵌合し、前記第２脚柱の一端は細長断面に形成され、その他端は前記一端よりオフセットして円形または正多角形断面に形成されているから、第１および第２脚柱の具体的な構成を実現できるとともに、それらの形状の美観を向上することができる。
請求項１２の発明は、前記各一対の第１および第２脚柱は、その細長断面の中心をテ−ブルの前後方向と平行に配置し、かつそれらをテ−ブルの左右方向の内外位置に配置したから、第１および第２脚柱を正確に配置し、脚杆の平行スタッキングを確実に実現することができる。
【００１９】
請求項１３の発明は、前記各一対の第１および第２脚柱を、テ−ブルの前後方向またはテ−ブルの左右方向と平行の同一直線上に配置したから、天板の奥行寸法が比較的大きい場合は、各一対の第１および第２脚柱をテ−ブルの前後方向に配置し、天板の奥行寸法が比較的小さい場合は、テ−ブルの左右方向と平行の同一直線上に配置し、それらの占有スペ−スを僅少化して、それぞれ対応させることができる。
請求項１４の発明は、前記各一対の第２脚柱のテ−ブルの前後方向における下端部間距離を、上端部間距離より幅広に形成したから、脚杆の平行スタッキングを確実に実現することができる。
請求項１５の発明は、前記第２脚柱の他端部に正多角形断面の角軸部を設けるとともに、脚杆の一端に前記角軸部と係合可能な正多角形断面の角穴部を設け、それらの係合位置を介して、前後一対の脚杆の平面上の交差角度を調整可能にしたから、前記脚杆の交差角度を容易に調整することができる。
請求項１６の発明は、前後一対の脚杆の平面上の交差角度を、天板の奥行小寸法に対し小さく設定したから、それらの他端間距離を縮小することによって、対応することができる。
【００２０】
請求項１７の発明は、天板の各奥行寸法に対し、前後一対の脚杆の全部または一部を共通使用したから、脚アセンブリの合理化と、その構成部品のモジュ−ル化を実現することができる。
請求項１８の発明は、前記脚杆を上向きに湾曲形成したから、テ−ブルの負荷に対する曲げ強度を強化することができるとともに、美観の向上を図ることができる。
請求項１９の発明は、前記脚継手を取り付けた支持フレ−ムに、ブラケットと補強フレ−ムと天板とを予め取り付け、また第１および第２脚柱と脚杆とを予め取り付けたから、前記各アセンブリを前記脚継手を介して組み付け可能にし、テ−ブル製作の合理化を図ることができる。
請求項２０の発明は、前記脚杆の下端部に若干幅広な合成樹脂製の脚杆アンダ−カバ−を取り付け、該カバ−の側面に隣接するテ−ブルの脚杆を係合可能にしたから、テ−ブルの平行スタッキング時における脚杆同士の擦過を未然に防止することができる。
【発明を実施するための最良の形態】
【００２１】
以下、本発明を平行スタッキング可能な折り畳みテ−ブルに適用した図示の実施形態について説明すると、図１乃至図１８において１は矩形の天板で、その下面に補強フレ−ム２が取り付けられている。
前記補強フレ−ム２は鋼板を略Ｕ字形断面に折曲して形成され、その一対の屈曲片２ａ，２ａ間に、管状の連結軸３が回動可能に架設されている。図中、４は連結軸３の端部に形成した透孔である。
【００２２】
前記連結軸３の両端部に、ロックリンク５の基部であるパイプシャフト６が着脱可能に挿入され、該シャフト６の周面にビス７を挿入可能な通孔８が形成されている。
すなわち、前記ロックリンク５の一端に前記パイプシャフト６が突設され、この他端にロックピン９が突設されていて、該ロックピン９が後述する第１カムのカム溝に係脱可能に配置されている。
実施形態のロックピン９は短小に形成され、後述する第１カムのカム溝にのみ係脱
可能にされ、隣接する第２カムのカム溝との係合を回避させている。
【００２３】
実施形態ではビス７の位置を屈曲片２ａ，２ａ間の中央に配置し、パイプシャフト６をビス７の位置を中心に１８０°対称に取り付け可能にしている。
このようにすることで、屈曲片２ａ，２ａ間でロックリンク５を位置変え可能にし、ロックピン９を後述する第１カムまたは第２カムのカム溝に選択的に係脱可能にし、脚柱部の垂直または斜状の形態に応じて、天板１の折り畳みに対応可能にしている。
図中、１０はパイプシャフト６の周面に取り付けた捩りバネで、その一端をロックリンク５に掛け止め、他端を支持枠２の内面に係止し、その弾性を介してロックリンク５を原位置に回動可能に付勢している。
【００２４】
前記パイプシャフト６にロックレバ−１１の一端が差し込まれ、その先端が連結軸３に挿入されていて、前記レバ−１１の一端に前記ビス７をねじ込み可能なネジ孔１２が形成されている。
すなわち、前記ビス７を通孔８および透孔４に挿入し、その螺軸端をネジ孔１２にねじ込んで、連結軸３とロックリンク５とロックレバ−１１とを同動可能に連結している。
【００２５】
図中、１３は前記ロックレバ−１１の屈曲端部に取り付けたレバ−ハンドル、１４，１５は屈曲片２ａ，２ａの対向位置に形成した通孔で、前記連結軸３またはロックレバ−１１の一端を挿入可能にされている。
１６は補強フレ−ム２に形成した天板取り付け用のビス孔、１７は前記通孔１４，１５の近接位置に形成した挿通孔で、これらに枢軸１８が挿入され、該軸１８に調節金具１９が上下方向に回動可能に取り付けられている。    
【００２６】
前記調節金具１９は鋼板若しくはアルミ合金ダイカストによって略縦長矩形板状に成形され、その中高部に前記枢軸１８を挿入可能な軸孔２０が形成され、その上下端部に幅広な係合片２１，２２が設けられている。
このうち、係合片２１は調節金具１９の上端部に位置して、後述の調整操作によって水平面と平行に位置付け可能にされ、前記支持枠２の内面と係合可能に配置されている。
また、係合片２２は調節金具１９の下端部に位置して、垂直面と平行に位置付け可能にされ、これを第１および第２カムと一体のブラケット２３の背面と係合可能に配置されている。
【００２７】
すなわち、ブラケット２３は肉厚の鋼板によって、図７のように略Ｕ字形断面に成形され、その中高部にネジ孔２４が形成され、該ネジ孔２４にブラケット２３の前方から調整ネジ２５をねじ込み、その螺軸端を前記係合片２２に係合して、支持金具１９をピン１８を中心に回動可能にしている。
【００２８】
前記ブラケット２３は第１カム２６と第２カム２７とを対向して配置し、それらの側端部に上下一対のカム溝２８，２９および３０，３１が形成され、これらに前記ロックピン９が係脱可能にされている。
実施形態では、第１カム２６を垂直の脚柱を備えたテ−ブルの折り畳みに対応させ、第２カム２７を斜状の脚柱を備えたテ−ブルの折り畳みに対応させている。
そして、天板１の折り畳み位置を規制するカム溝２８，３０の上下位置を、前記脚柱の形態に応じて相違させ、また天板１の使用位置を規制するカム溝２９，３１は、同位置に形成している。
【００２９】
図中、３２，３２は前記ネジ孔２４の周辺に形成した上下一対の透孔で、これらの透孔３２にコネクションピ−ス３３のピン３４が圧入されている。前記コネクションピ−ス３３は合成樹脂によって筒状に成形され、その内部に前記調整ネジ２５の頭部を係合可能に収容する段付き孔３５が形成されている。
図中、３６はコネクションピ−ス３３の両側に突出した脚片で、それらの端部に前記ピン３４が突設されている。
【００３０】
前記ブラケット２３の第１カム２６と第２カム２７の対向位置に、一対の透孔３７と軸孔３８とが形成され、該透孔３７にコネクションピ−ス３９，３９のピン４０が圧入されている。
また、前記軸孔３８，３８に前記調節金具１９の軸孔２０を貫通して、枢軸１８が挿入され、該枢軸１８を支点に天板１を上下方向に回動可能に支持している。
【００３１】
前記コネクションピ−ス３９は前記コネクションピ−ス３３と実質的に同一に構成され、その筒状部の段付き孔４１に枢軸１８が挿入され、筒状部の両側にピン４０を突設した脚片４２が突出されている。
図中、４３，４４は天板１の下面にビス止めする補強枠で、その両端部を補強フレ−ム２，２の内側に近接して配置している。
【００３２】
前記第１カム２６と第２カム２７の下端部の対向位置に同径の軸穴４５，４６が形成され、これらに一方の支持フレ−ム４７、実施形態では前側に配置した大径の鋼管を貫通し、これらを溶接するとともに、その突出端部に鋼板製の脚継手４８を溶接して垂直に配置している。
この場合、他方の支持フレ−ム４７、つまり後側に配置した支持フレ−ム４７には前記ブラケット２３は取り付けられておらず、該枠４７の両端部に前記脚継手４８を取り付け、該脚継手４８を介して後述の第１脚柱に連結している。
【００３３】
すなわち、前記脚継手４８は略Ｕ字形断面に折曲形成され、その主片の両側に略山形の屈曲片４８ａ，４８ａを形成し、該屈曲片４８ａ，４８ａの間に前記支持フレ−ム４７の端部を配置して溶接している。
前記脚継手４８の主片は縦長矩形の平板状に形成され、その板面をモジュ−ル脚４９を構成する第１脚柱５０の一方、実施形態では前方配置のものに密着し、これらをボルトまたはビス５２およびナット５３を介して連結している。
【００３４】
図中、５４は前記脚継手４８の主片の上下位置に形成した通孔、７１は前記通孔５４の近接部を押し出し成形した位置決め用の凸部、７２は前記主片の中央に形成した縦長矩形の水抜き孔で、前記支持フレ−ム４７に連通しており、該支持フレ−ム４７に脚継手４８を溶接し、これらを吊り下げて塗装ブ−スへ移動する際、前記水抜き孔７２から前処理時の脱脂洗浄液等を排出可能にしている。
【００３５】
前記モジュ−ル脚４９は、図８のように第１脚柱５０と、該脚柱５０に連結する第２脚柱５５と、該脚柱５５に連結する脚杆５６とから構成されている。
このうち、第１脚柱５０は楕円若しくは小判形断面の２本の鋼管製の脚柱５７を有し、これらはその外周面に前記脚継手４８を接合可能な平坦面を備え、これらを平面上、図２のように前後方向に離間して内外方向へ配置し、その上下端部に楕円鋼管製の２本の連結枠５８を溶接して連結している。
【００３６】
この場合、一対の脚柱５７は、その楕円形断面の長軸をテ−ブルの前後方向に平行、かつ離間して配置し、その左右方向は内外方向に離間して配置していて、その内外間隔は、脚杆５６，５６による平行スタッキングが可能な寸法に設定されている。
図中、５９，６０は脚柱５７の前記平坦面の上半部および下部に形成したボルトまたはビスを挿入可能な通孔、７３は前記通孔５９の近接位置に形成した透孔で、前記凸部７１を係入可能にしている。
【００３７】
前記第２脚柱５５はアルミ合金ダイカストによって、図９乃至図１３のように緩やかな湾曲柱状に成形され、その上端部に前記脚柱５７に嵌合可能な楕円若しくは小判形断面の嵌合部６１が設けられ、その幅広な周面の中央に二つのネジ孔６２が上下位置に形成されている。
【００３８】
前記嵌合部６１の下部に湾曲部６３が設けられ、その側面形状は図９のように倒立した縦長の略等脚台形に形成され、その幅寸法は下側に向かって漸減している。
前記湾曲部６３の前後方向の形状は、図１０のように嵌合部６１の短軸方向に緩やかに湾曲し、その上下端部の嵌合部６１と後述の角軸部とを、前記短軸方向、つまりテ−ブルの内外方向へオフセットしている。ｅはそのオフセット量である。
【００３９】
前記湾曲部６３の横断面形状は、図示のように上端部が楕円若しくは小判形をしており、その長軸側の寸法が下側に向かって漸減し、その下端部で真円状に形成されている。
そして、前記一対の第２脚柱５５の嵌合部６１を前記脚柱５７，５７に嵌合し、そのテ−ブルの左右方向の間隔を下端部、つまり脚杆５６の一端で最大に設定し、脚杆５６，５６による平行スタッキングを可能にしている。
【００４０】
前記第２脚柱５５の下端部に、下側に向かって縮径する六角錐台形状の角軸部６４が突設され、該角軸部６４が脚杆５６の一端の連結部８５に設けた六角錐台形状の角穴部６５に係脱可能に嵌合している。
前記脚杆５６はアルミ合金ダイカストによって、図示のように緩やかに上向きに湾曲して成形され、その横断面は略逆Ｖ字形状に形成されている。実施形態では前後に配置した脚杆５６を同形同大に湾曲形成している。
【００４１】
図中、６６は脚杆５６の内側の長さ方向に沿って所定間隔に配置した複数の補強枠で、それらの中央を補強リブ６７で連結している。６７は脚杆５６の他端部に設けたネジ孔６８で、該ネジ孔６８にキャスタ−６９と一体の取付ボルト７０をねじ込み可能にしている
【００４２】
この他、図中７４は角軸部６４の内部に形成したネジ孔、７５は脚杆５６の一端に下向きに開口したビス孔で、前記角穴部６５に連通しており、前記ビス孔７５にビス７６ないしボルトを挿入し、これを前記ネジ孔７４にねじ込み可能にしている。７７は床面、７８は脚柱５７の上端部に取り付けるキャップである。
【００４３】
このように構成したテ−ブルは、従来のものに比べて調節金具１９やブラケット２３、脚継手４８、モジュ−ル脚４９の製作を要する。
このうち、調節金具１９、ブラケット２３、脚継手４８は鋼板をプレス成形して製作し、
これらは天板１の奥行寸法が７５０ｍｍ〜９００ｍｍの３種類のテ−ブルでは、同一の形状寸法ものを共用し、部品製作とその管理および組み立ての合理化を図っている。  
また、前記ブラケット２３に第１および第２カム２６，２７を形成し、これらのカム２６，２７によって、垂直または斜状の脚柱を有する折り畳みテ−ブル、または非折り畳みテ−ブルに対応させ、部品製作および組み立ての合理化を図っている。  
【００４４】
そして、一対の支持フレ−ム４７を所定長さに裁断し、その一方の支持フレ−ム４７の両端部に前記ブラケット２３の軸穴４５，４６を嵌合し、これらを溶接するとともに、支持フレ−ム４７の両端に脚継手４８を前記ブラケット２３と同方向に位置付け、これらを溶接して、次の塗装工程へ移行する。
その際、前記アセンブリを塗装の前処理である脱脂洗浄槽と酸洗い槽とに順次浸漬し、この前処理後、前記一方の脚継手４８を下向きにして支持フレ−ム４７を吊り下げ、これを塗装ブ−ス（図示略）へ移動する。
このようにすることで、前記前処理時に支持フレ−ム４７に滞留した処理液を、脚継手４８の水抜き孔７２から排出させ、水抜きして塗装される。
【００４５】
一方、前記モジュ−ル脚４９は、第１および第２脚柱５０，５５と脚杆５６との製作を要し、このうち第１脚柱５０は、楕円鋼管製の一対の脚柱５７と、楕円鋼管製の一対の連結枠５８とを所定長に裁断する。
そして、前記脚柱５７，５７の楕円形断面の長軸をテ−ブルの前後方向と平行、かつ離間して配置し、その左右方向を内外方向に離間して配置する。
【００４６】
前記内外間隔は、脚杆５６，５６による平行スタッキングが可能な寸法以上に設定し、それらの上下部間に連結枠５８，５８を配置し、これらを溶接して連結する。
実施形態では連結枠５８，５８の軸心を平面上、脚柱５７の長軸と交差させ、テ−ブルの前後方向と斜状に配置している。
【００４７】
前記第２脚柱５５をアルミ合金ダイカストによって湾曲柱状に成形し、湾曲部６３の上下端部を楕円形断面の短軸側へｅだけオフセットし、その上端部を楕円形断面に成形し、その上部に楕円形断面の嵌合部６１を突設し、下端部を真円形断面に成形し、その下端部に六角錐台形の角軸部６４を突設する。
前記脚杆５６をアルミ合金ダイカストによって上向きに湾曲成形し、その一端部に角穴部６５を成形し、他端部にキャスタ−６９の取り付け部を設ける。
【００４８】
こうして各構成部品を製作後、これらを組み立ててテ−ブルを製作する場合、大別すると天板１に対する補強フレ−ム２ないしブラケット２３の取り付け工程と、モジュ−ル脚４９の組み付け工程とに分かれ、これらを例えば工場等で別々に組み付け、その組み付けアセンブリを一緒にまたは個別に梱包して取扱店等の顧客へ搬送し、前記アセンブリを取り揃えたところで、これらを組み立て、テ−ブルを製作する。
【００４９】
このうち、天板１に対する補強フレ−ム２ないしブラケット２３の取り付け工程は、天板１の下面の所定位置に補強フレ−ム２，２をビス止めし、該金具２，２の間に補強枠４３，４４を天板１に取り付ける。
そして、補強フレ−ム２，２の通孔１４，１４間に連結軸３の両端部を掛け渡し、その軸端部にロックリンク５を外側にして、捩りバネ１０を装着したパイプシャフト６を挿入する。
【００５０】
次に、補強フレ−ム２の外側からロックレバ−１１の一端を通孔１５に差し込み、その端部を前記パイプシャフト６を貫通して連結軸３に挿入し、透孔４と通孔８とネジ孔１２とを位置合わせする。
そして、ビス７を通孔８および透孔４に挿入し、これをネジ孔１２にねじ込んで、連結軸３とロックリンク５とロックレバ−１１とを同動可能に連結し、更に前記捩りバネ１０の一端をロックリンク５に掛け止め、他端を補強フレ−ム２に係合して、連結軸３とロックリンク５とロックレバ−１１とを原位置に復帰回動可能に付勢する。
【００５１】
一方、一対の支持フレ−ム４７の両端部に脚継手４８を溶接し、このうち一方の支持フレ−ム４７の両端部側にブラケット２３を溶接し、このブラケット２３を補強フレ−ム２，２の屈曲片２ａ，２ａ間に配置し、その第１および第２カム２６，２７の間に調節金具１９を配置する。
そして、屈曲片２ａ，２ａの挿通孔１７と、第１および第２カム２６，２７の軸孔３８，３８と、調節金具１９の軸孔２０とを位置合わせし、これらに補強フレ−ム２，２の外側から枢軸１８を挿入し、補強フレ−ム２，２と調節金具１９とブラケット２３とを回動可能に連結する。
【００５２】
この後、コネクションピ−ス３９のピン４０を第１および第２カム２６，２７の透孔３７に圧入し、枢軸１８の両端部を段部に係合させて抜け止めする。
なお、ブラケット２３を取り付けない他方の支持フレ−ム４７は、当該状態のまま保管し、テ−ブルの組み立てに備える。
【００５３】
次に、モジュ−ル脚４９の組み付け工程は、第１脚柱５０の脚柱５７，５７の下部に第２脚柱５５の嵌合部６１，６１を挿入する。
その際、湾曲部６３，６３の湾曲形状を互いに逆相ないし略背中合わせに配置し、その下端部が外側へ離間するように、換言すれば一対の第２脚柱５５が図１のように、テ−ブルの前後方向から見て線対称になるように、第２脚柱５５を組み付けたところで、ビス（図示略）をビス孔５９に挿入し、これをネジ孔６２にねじ込んで、第１脚柱５０と第２脚柱５５とを連結する。
【００５４】
この後、第２脚柱５５の角軸部６４に脚杆５６の角穴部６５を嵌合し、該角穴部６５の下方からビス７６をビス孔７５に挿入し、その螺軸をネジ孔７４にねじ込んで、第２脚柱５５に脚杆５６を連結する。
その際、角軸部６４と角穴部６５は横断面が正六角形をしており、また脚柱５７ないし嵌合部６１の楕円形断面の長軸はテ−ブルの前後方向に平行に位置しているから、角軸部６４と角穴部６５との嵌合位置を変えることによって、角軸部６４に対する脚杆５６の平面上の交差角度θを正確かつ容易に設定できる。
【００５５】
すなわち、角軸部６４と角穴部６５は横断面が正六角形であるから、それらの嵌合位置を変えることによって、前記交差角度θを６０°毎に可変設定できる。
実施形態では、前後左右の脚杆５６の交差角度θ１〜θ４を等角度で６０°に設定しており、床面７７に着地する脚杆５６の他端部、実施形態ではキャスタ−６９の平面上の位置を、可及的に天板１の四隅に近接配置させ、テ−ブル使用時の安定性を図っている。
この後、脚杆５６の他端部のネジ孔６８にキャスタ−６９の取付ボルト７０をねじ込んでキャスタ−６９を取り付け、また脚柱５７の上端部にキャップ７８を嵌め込む。
【００５６】
このように本発明は、天板１に対する補強フレ−ム２およびブラケット２３の取り付け工程と、モジュ−ル脚４９の組み付け工程とを分けて、これらを別々に組み付けているから、それぞれの組み付けの手間が軽減し、これらを合理的かつ能率良く組み付けられる。
また、各工程の組み付けアセンブリ（天板および脚アセンブリ）を独自に生産できるから、見込み生産に応じられるとともに、前記アセンブリを後述のように組み立てることによって、その間の組み付けの手間を削減し、所要量のテ−ブルの受注に合理的かつ迅速に対応できる。
【００５７】
次に、前記組み付けアセンブリを使用してテ−ブルを組み立てる場合は、一組の天板および脚アセンブリを用意し、これらを組み付ける。
すなわち、天板アセンブリ側の支持フレ−ム４７の端部に取り付けた脚継手４８の凸部７１を、脚アセンブリの第１脚柱５０の前部側脚柱５７の内周面の透孔７３に挿入し、これらを位置決め後、脚柱５７の外側からボルト５２を通孔５９に挿入し、これを脚継手４８の通孔５４に貫通し、その螺軸端にナット５３をねじ込んで緊締し、前記脚継手４８を脚柱５７に取り付ける。
【００５８】
この後、ブラケット２３を有しない他方の支持フレ−ム４７を用意し、その両端の脚継手４８を前述と同様の要領で他方の脚柱５７の内面に位置決めし、これらをボルト５２およびナット５３を介して連結する。
このようにして前後一対の支持フレ−ム４７の端部に、脚継手４８を介して左右一対の第１脚柱５０を取り付ければ、テ−ブルの組み立てが完了する。しかも、前記組み立て作業には特別な工具や技能を要しないから、これを簡易かつ迅速に行なえる。
【００５９】
こうして組み立てたテ−ブルは図１乃至３のようで、第１脚柱５０の楕円管による湾曲面と、第２脚柱５５の立体的な湾曲形状と、前後一対の脚杆５６の上向きの湾曲形状とによって、全体的に柔らかで優しい外観を有している。
また、前後一対の脚杆５６は図１のように、上向きに湾曲して表われ、かつこれらがテ−ブルの内外方向に重畳して見えるから、その曲線模様が強調され、柔らかな美感を惹起する。
【００６０】
しかも、前後一対の脚杆５６は図２のように平面上若しくは底面上、互いに斜状に配置され、それらが略く字形状をしていて、そのキャスタ−６９側の先端部が天板１の隅角側に位置し、前後のキャスタ−６９が左右方向の内外に位置している。
したがって、前後一対の脚杆５６の全てまたは何れか一方をテ−ブルの前後方向と平行に配置した場合に比べ、脚杆５６の基端部、つまり第１脚柱５７側がテ−ブルの内側へ位置し、その分左右の脚杆５６の距離が小さくなり、天板１の左右方向の曲げモ−メントが低減する。
更に、第１および第２脚柱５０，５５は、一対の脚柱５７または湾曲柱を離間して配置しているから、これらが単一の場合に比べ、天板１の前後方向の曲げモ−メントを低減し、前述と相俟ってテ−ブルの支持強度が向上する。
【００６１】
次に、前記テ−ブルの使用法は従来の折り畳みテ−ブルと同様で、テ−ブルの使用時はロックピン９が第１カム２６のカム溝２９に係合し、ブラケット２３の上端部が補強フレ−ム２の内面に係合可能に位置して前記金具２を支持し、天板１の水平状態を維持する。
一方、テ−ブルの保管またはスタッキング時は、左右何れ一方のロックレバ−１１を把持し、これを上向きに押し回して、同動する前記ロックピン９をカム溝２９の外側へ移動する。
この後、天板１を枢軸１８を支点に起立回動し、ロックピン９を第１カム２６のカム溝２８に係合して、天板１の倒立状態ないし折り畳み状態を維持する。この状況は図５のようである。
【００６２】
天板１の折り畳み後、キャスタ−６９を介してテ−ブルを移動し、所定位置に保管する  この後、別のテ−ブルの天板１を折り畳み、これを前記先行テ−ブル位置へ移動し、該テ−ブルの背後に重合する。
すなわち、後行テ−ブルのキャスタ−６９を、先行テ−ブルの後側のキャスタ−６９の内側へ移動し、また後行テ−ブルの脚杆５６を、先行テ−ブルの後側の脚杆５６の内側へ移動する。
【００６３】
その際、後部側のキャスタ−６９が、前部側のキャスタ−６９の外側へキャスタ−６９の幅以上オフセッットし、後部側の脚杆５６が前部側の脚杆５６の外側へオフセッットしているため、先後のテ−ブルのキャスタ−６９および脚杆５６が互いに干渉することなくスタッキングされる。
【００６４】
一方、調節金具１９は軸孔２０を貫通する枢軸１８によって、第１および第２カム２６，２７の間に上下方向に回動可能に枢支され、常時は重力作用によって若干後方へ傾倒し、その下端の係合片２２をブラケット２３の背面に係合し、当該背面内に調整ネジ２５の螺軸端が位置している。
したがって、天板１が補強フレ−ム２，２によって正常に支持されている場合は、調節金具１９は機能していない。
【００６５】
一方、経年的な使用に伴なって、補強フレ−ム２の内面またはブラケット２３の上端部が、それらの擦過によって磨耗し、それらの間の緊密性が低下すると、その微小な間隙によってテ−ブルの使用時、補強フレ−ム２ないし天板１が前下がりに傾斜し、天板１の水平度が低下する。
【００６６】
そのような場合、テ−ブルの前部側において、ブラケット２３の背面に表出するコネクションピ−ス３３の段付き孔３５にドライバ−等の工具を挿入し、調整ネジ２５を適宜ねじ込む。
このようにすると、調整ネジ２５の螺軸端が調節金具１９の係合片２２に係合し、該金具１９が軸孔２０を嵌挿する枢軸１８を中心に上向きに回動し、他方の係合片２１が補強フレ−ム２の内面に近接かつ係合して、該金具２を介し天板１を押し上げる。
このため、天板１の前下がり状態が修正され、天板１の水平度が回復する。
この場合、このように調節金具１９が機能することとなっても、天板１の折り畳み操作やロックピン９のカム溝２８，２９への係脱作用に支障を来たさない。
【００６７】
図１９乃至図２５は本発明の他の実施形態を示し、前述の構成と対応する部分は同一の符号を用いている。
このうち、図１９は本発明の第２の実施形態を示し、この実施形態のモジュ−ル脚４９は、第１脚柱５０の連結枠５８を省略し、当該部の構成を簡潔にするとともに、第２脚柱５５を同質部材の連結枠７９で連結し、第２脚柱５５の捩れ防止を強化している。
【００６８】
図２０および図２１は本発明の第３の実施形態を示し、この実施形態は天板１の奥行寸法が比較的小さなテ−ブルに適用している。
すなわち、第１および第２脚柱５０，５５の各一対の脚柱５７または湾曲柱を左右側面上、離間して配置する代わりに、これらをテ−ブルの左右方向の内外位置に配置し、側面視上重合して単一本状に配置している。
また、前記各一対の脚柱５７または湾曲柱をテ−ブルの前後方向では内外位置に配置し、キャスタ−６９の間隔を前述の実施形態よりも小さく、図示の場合は約４／５に設定し、第１および第２脚柱５０，５５の前後方向の占有スペ−スを僅少化して、前記所期の目的を達成している。実施形態では奥行寸法が６００ｍｍの天板１に適用している。
【００６９】
図２２および図２３は本発明の第４の実施形態を示し、この実施形態は前記第３の実施形態の応用形態で、第１および第２脚柱５０，５５の各一対の脚柱５７または湾曲柱を前述のように配置するとともに、一方の脚杆５６ａを他方の脚杆５６よりも短小、実施形態では略１／２に形成し、キャスタ−６９の間隔を更に小さく設定し、第３の実施形態の天板１の奥行寸法よりも更に小さなテ−ブルに適用している。実施形態では奥行寸法が４５０ｍｍの天板１に適用している。
そして、前記短小側の脚杆５６ａのテ−ブルの左右方向に対する交差角を鋭角に設定し、前記所期の目的を達成している。前記角度設定は、角軸部６４と角穴部６５との嵌合位置を調整することで行なう。
【００７０】
図２４は本発明の第５の実施形態を示し、この実施形態は本発明をノンモジュ−ル脚のテ−ブルに適用している。
前記ノンモジュ−ル脚は、脚継手４８を取り付け可能な角管製の垂直の脚柱８０と、該脚柱８０の下端部を連結する角管製の脚杆８１とからなり、これらで従来のテ−ブルの支持構造と同様の逆Ｔ字形状に形成している。図中、８２は幕板、８３はロックハンドルである。
すなわち、この実施形態は支持フレ−ム４７の両端部にブラケット２３と脚継手４８とを取り付け、前記天板アセンブリと前記ノンモジュ−ル脚のアセンブリを別々に組み立て、その各一組のアセンブリを用意し、脚継手４８を脚柱８０の上部に取り付ければ良く、その合理的な組み立てが可能になる。
【００７１】
一方、前記第１および第２脚柱５０，５５または脚柱８０が垂直のテ−ブルの場合は前述のようであるが、それらが斜状のテ−ブルに対しては、簡単な作業で容易に対応できる
すなわち、ロックリンク５と一体のパイプシャフト６を、ビス７を中心に図５の状況と対称位置に取り付け、天板アセンブリ側の脚継手４８を脚柱８０の上部に取り付け、支持フレ−ム４７に取り付けたブラケット２３の第２カム２７と、補強フレ−ム２の内側の屈曲片２ａとの間にロックリンク５を配置し、そのロックピン９を第２カム２７のカム溝３０，３１に係脱可能に配置すれば良い。
【００７２】
図２５は本発明の第６の実施形態を示し、この実施形態はモジュ−ル脚を更に改良したテ−ブルに適用している。
この実施形態は第２脚柱５５を省略し、その分第１脚柱５０を長尺に構成するとともに、各部の構成を簡潔化し、これを安価に製作できるようにしている。
すなわち、第１脚柱５０の脚柱５７を第２脚柱５５分長尺に形成し、該脚柱５７は円管部材を用いて構成され、その下端部周面に複数の山形状の切欠溝８４を形成している。
この場合、脚柱５７の片側周面を平坦に成形し、または板体を取り付けて、脚継手４８の取り付けの密着化を図ることが望ましい。
【００７３】
前記脚柱５７の下端に脚杆５６の連結部８５が同軸上に嵌合され、該連結部８５は円柱状をしていて、その下部周面に前記切欠溝８４に係合可能な山形状の係合突起８６を形成している。そして、係合突起８６と前記切欠溝８４との係合位置を変えることによって、脚柱５７に対する取り付け角度を簡便に調節可能にしている。
【００７４】
図中、８７は脚杆５６の下部に取り付ける合成樹脂板製の脚杆アンダ−カバ−で、脚杆５６の下側開口部を閉塞可能にしており、かつその幅は前記開口部より若干幅広に形成されていて、スタッキング時における脚杆５６同士の接触ないし擦過を防止するようにしている。
この他、図中８８は脚杆アンダ−カバ−８７の取付ビス、８９は連結部８５に形成したビス７６ないしボルトの貫通孔で、脚柱５７の下端に設けた盲キャップのネジ孔（図示略）にねじ込み可能にしている。
【産業上の利用可能性】
【００７５】
このように本発明のテ−ブルは、脚および脚部品のモジュ−ル化と設計および組み立ての合理化を図れ、天板の奥行寸法に応じて種々の形態の脚を得られるとともに、脚アセンブリと天板やロックレバ−等の天板アセンブリとを分離して予め組み立て、これらを互いに後付けすることで、所要量のテ−ブルを迅速かつ合理的に生産でき、例えば折り畳みテ−ブルに好適である。
【図面の簡単な説明】
【００７６】
【図１】本発明を適用した折り畳みテ−ブルを示す正面図である。
【図２】図１の底面図である。
【図３】図１の左側面図である。
【図４】本発明の天板アセンブリの要部を分解して示す斜視図である。
【図５】本発明を適用した折り畳みテ−ブルの折り畳み状態の要部を示す斜視図で、天板を省略して図示している。
【図６】図４の要部を拡大して示す斜視図である。
【００７７】
【図７】前記折り畳みテ−ブルに適用した脚継手とブラケットを組み付け状況を拡大して示す斜視図である。
【図８】前記折り畳みテ−ブルに適用した脚アセンブリ（脚モジュ−ル）を分解して示して示す斜視図で、片側の第２脚柱と脚杆のみを示している。
【図９】前記脚アセンブリに適用した第２脚柱を示す正面図である。
【図１０】図９の右側面図である。
【図１１】図９のＡ−Ａ線に沿う断面図である。
【図１２】図９の平面図である。
【００７８】
【図１３】図９の底面図である。
【図１４】図１０のＢ−Ｂ線に沿う断面図である。
【図１５】図１０のＣ−Ｃ線に沿う断面図である。
【図１６】図１０のＤ−Ｄ線に沿う断面図である。
【図１７】図１０のＥ−Ｅ線に沿う断面図である。
【図１８】図８に示す脚杆の縦断面図である。
【図１９】本発明の第２の実施形態を適用した折り畳みテ−ブルを示す側面図である
【００７９】
【図２０】本発明の第３の実施形態を適用した折り畳みテ−ブルを示す側面図である
【図２１】図２０の底面図で、一部を省略して図示している。
【図２２】本発明の第４の実施形態を適用した折り畳みテ−ブルを示す側面図である
【図２３】図２２の底面図で、一部を省略して図示している。
【図２４】本発明の第５の実施形態を適用した折り畳みテ−ブルの折り畳み状態を示している。
【図２５】本発明の第６の実施形態の要部を示す斜視図で、脚アセンブリ（脚モジュ−ル）を分解して示している。
【符号の説明】
【００８０】
１            天板
２            補強フレ−ム
５            ロックリンク
６            基部（パイプシャフト）
９            ロックピン
１９            調節金具
２１，２２      係合片
２３            ブラケット
２５            調製ネジ
２６            第１カム
２７            第２カム
【００８１】
２８〜３１      カム溝
４７            支持フレ−ム
４８            脚継手
５０            第１脚柱
５５            第２脚柱
５６            脚杆
６４            角軸部
６５            角穴部
６９            接地手段（キャスタ−）
【００８２】
７１            凸部
７２            水抜き孔
８７            脚杆アンダ−カバ−
θ，θ１〜θ４  交差角度
ｅ              オフセット量
【図１】
2006006574.tif 000003
【図２】
2006006574.tif 000004
【図３】
2006006574.tif 000005
【図４】
2006006574.tif 000006
【図５】
2006006574.tif 000007
【図６】
2006006574.tif 000008
【図７】
2006006574.tif 000009
【図８】
2006006574.tif 000010
【図９】
2006006574.tif 000011
【図１０】
2006006574.tif 000012
【図１１】
2006006574.tif 000013
【図１２】
2006006574.tif 000014
【図１３】
2006006574.tif 000015
【図１４】
2006006574.tif 000016
【図１５】
2006006574.tif 000017
【図１６】
2006006574.tif 000018
【図１７】
2006006574.tif 000019
【図１８】
2006006574.tif 000020
【図１９】
2006006574.tif 000021
【図２０】
2006006574.tif 000022
【図２１】
2006006574.tif 000023
【図２２】
2006006574.tif 000024
【図２３】
2006006574.tif 000025
【図２４】
2006006574.tif 000026
【図２５】
2006006574.tif 000027